(57)【要約】      （修正有）【課題】建築物等のプレゼンテーションにおいて、対競合他者優位性を発揮する支援方法を提供する。【解決手段】３次元ＣＧパースに変換させるための原図データに基づいて、ステレオグラムとなるような２つのパノラマ画像である３次元ＣＧパースを生成する第１工程と、２つのパノラマ画像である３次元ＣＧパースをパノラマＶＲ画像に変換すると共に、変換後のパノラマＶＲ画像の対応付けを行う第２工程と、パノラマＶＲ画像が記憶される記憶領域を指定する情報を含む建築物に関するプレゼンテーション書類を生成する第３工程と、プレゼンテーション書類が使用されるプレゼンテーションにおいて、記憶領域を指定する情報に基づいて記憶領域にアクセスさせ、対応付けられたパノラマＶＲ画像を表示装置に表示させる第４工程と、を含む。【選択図】図２
2018147272.tif 000002
【特許請求の範囲】
【請求項１】
３次元ＣＧ（Computer Graphics）パースに変換させるための原図データであって、１つの前記原図データに基づいて、立体視可能であるステレオグラムとなるような２つのパノラマ画像である前記３次元ＣＧパースを生成する第１工程と、
前記２つのパノラマ画像である３次元ＣＧパースをパノラマＶＲ（Virtual Reality）画像に変換すると共に、変換後の該パノラマＶＲ画像の対応付けを行う第２工程と、
前記パノラマＶＲ画像が記憶される記憶領域を指定する情報を含む建築物に関するプレゼンテーション書類を生成する第３工程と、
前記プレゼンテーション書類が使用されるプレゼンテーションにおいて、前記記憶領域を指定する情報に基づいて前記記憶領域にアクセスさせ、対応付けられた前記パノラマＶＲ画像を表示装置に表示させる第４工程と、を含むことを特徴とするプレゼンテーション支援方法。
【請求項２】
前記プレゼンテーション書類において、前記パノラマＶＲ画像の平面方向中心位置付近に、前記記憶領域を指定する情報が掲載されることを特徴とする請求項１に記載のプレゼンテーション支援方法。
【請求項３】
前記第２工程において、前記建築物上の各前記パノラマＶＲ画像が説明する位置に合わせるように、複数の前記パノラマＶＲ画像の関連付けを行うことを特徴とする請求項１又は２に記載のプレゼンテーション支援方法。
【請求項４】
前記第２工程において、前記３次元ＣＧパースをヘッドマウントディスプレイで立体視可能な形式のパノラマＶＲ画像に変換し、
前記第４工程において、前記ヘッドマウントディスプレイに、前記パノラマＶＲ画像を表示させることを特徴とする請求項１乃至３の何れか一に記載のプレゼンテーション支援方法。
【請求項５】
前記第２工程において、前記３次元ＣＧパースが、Ｗｅｂブラウザを使用して閲覧可能な形式の前記パノラマＶＲ画像に変換されることを特徴とする請求項１乃至４の何れか一に記載のプレゼンテーション支援方法。
【請求項６】
前記記憶領域を指定する情報が、ＱＲコード（登録商標）であることを特徴とする請求項１乃至５の何れか一に記載のプレゼンテーション支援方法。
【請求項７】
前記第４工程において、前記ヘッドマウントディスプレイに表示されている画像に同期させた画像を前記ヘッドマウントディスプレイとは異なる表示装置に表示させることを特徴とする請求項４に記載のプレゼンテーション支援方法。
【請求項８】
前記第３工程において、前記パノラマＶＲ画像がアップロードされるＷｅｂ上の前記記憶領域を指定する情報を含むプレゼンテーション書類を生成し、
前記第４工程において、前記プレゼンテーション書類が使用されるプレゼンテーションにおいて、前記Ｗｅｂ上の記憶領域を指定する情報に基づいて前記Ｗｅｂ上の記憶領域にアクセスさせ、前記パノラマＶＲ画像を表示装置に表示させることを特徴とする請求項１乃至７の何れか一に記載のプレゼンテーション支援方法。
【請求項９】
前記プレゼンテーション書類が、建築物に関する広告物であることを特徴とする請求項１に記載のプレゼンテーション支援方法。
【発明の詳細な説明】
【技術分野】
【０００１】
本発明は、建築物等構築物のプレゼンテーションを支援するための技術に関する。
【背景技術】
【０００２】
パースとは、建築物等の完成予想図のことを指し、ＣＧ（Computer Graphics）パースとは、コンピューターグラフィックスの手法を用いて作成されるパースのことを指す。ＣＧパースには、平面的に描かれた２次元ＣＧパースと、奥行きを感じさせるように描かれた３次元ＣＧパースとがある。
【０００３】
従来、建築物に関するプレゼンテーションにおいては、建築事務所（デザイン事務所）等の複数の受注候補者が、建築物の発注者の面前で、各受注候補者が提案する設計案を２次元又は３次元のＣＧパースを用いてプレゼンテーションするのが通例である。
【０００４】
一方、商品・サービスの受発注が行われるとき、複数の受注候補者が発注者の面前でプレゼンテーションを行う場面は頻繁に発生し得ることである。そういった背景下、商談成立の可能性を高めることを目的とし他者よりも優れたプレゼンテーションを行う技術に関して多数の技術的提案がなされている。例えば、特許文献１では、プレゼンテーション中に強調する度合いを変更することが可能な仕組みに関しての提案がなされている。
【先行技術文献】
【特許文献】
【０００５】
【特許文献１】特開２０１５−６４４５７号公報
【発明の概要】
【発明が解決しようとする課題】
【０００６】
しかしながら、上記の従来技術においては、建築物等のプレゼンテーションにおいて、必ずしも対競合他者優位性を発揮するとは限らないという問題点がある。
【０００７】
そこで本発明では、上記問題点に鑑み、建築物等のプレゼンテーションにおいて、対競合他者優位性を発揮するプレゼンテーション支援方法を提供することを目的とする。
【課題を解決するための手段】
【０００８】
開示するプレゼンテーション支援方法の一形態は、３次元ＣＧ（Computer Graphics）パースに変換させるための原図データであって、１つの前記原図データに基づいて、立体視可能であるステレオグラムとなるような２つのパノラマ画像である前記３次元ＣＧパースを生成する第１工程と、前記２つのパノラマ画像である３次元ＣＧパースをパノラマＶＲ（Virtual Reality）画像に変換すると共に、変換後の該パノラマＶＲ画像の対応付けを行う第２工程と、前記パノラマＶＲ画像が記憶される記憶領域を指定する情報を含む建築物に関するプレゼンテーション書類を生成する第３工程と、前記プレゼンテーション書類が使用されるプレゼンテーションにおいて、前記記憶領域を指定する情報に基づいて前記記憶領域にアクセスさせ、対応付けられた前記パノラマＶＲ画像を表示装置に表示させる第４工程と、を含むことを特徴とする。
【発明の効果】
【０００９】
開示するプレゼンテーション支援方法は、建築物等のプレゼンテーションにおいて、対競合他者優位性を発揮する。
【図面の簡単な説明】
【００１０】
【図１】本実施の形態に係るプレゼンテーション支援方法の概要を示す図である。
【図２】本実施の形態に係るプレゼンテーション支援方法による処理の流れを示す図である。
【図３】本実施の形態に係るプレゼンテーション書類の一例（リビング、ベッドルームを有する建築物）を示す図である。
【図４】本実施の形態に係る３次元ＣＧパースの一例（リビング）を示す図である。
【図５】本実施の形態に係る３次元ＣＧパースの一例（ベッドルーム）を示す図である。
【図６】本実施の形態に係る立体視可能であるステレオグラムとなるような１組の３次元ＣＧパースの一例（リビング）を示す図である。
【図７】本実施の形態に係る立体視可能であるステレオグラムとなるような１組の３次元ＣＧパースの一例（ベッドルーム）を示す図である。
【図８】本実施の形態に係るパノラマＶＲ画像の一例（リビング）を示す図である。
【図９】本実施の形態に係るパノラマＶＲ画像の一例（ベッドルーム）を示す図である。
【図１０】本実施の形態に係る表示装置の一例（ヘッドマウントディスプレイ）を示す図である。
【図１１】本実施の形態に係る情報処理装置のハードウエア構成例である。
【発明を実施するための形態】
【００１１】
図面を参照しながら、本発明を実施するための形態について説明する。
（本実施の形態に係るプレゼンテーション支援方法における処理）
【００１２】
図１乃至１０を用いて、本実施の形態に係るプレゼンテーション支援方法（以下、単に「支援方法」という。）１００における処理について説明する。図１は、支援方法１００における処理に関わる装置及び各装置を操作するユーザーを模式的に示した図である。
【００１３】
支援方法１００は、建築物（内外観を問わない。）等構築物のプレゼンテーション２００において使用されるプレゼンテーション書類１９０に含まれる素材制作を支援すると共に、プレゼンテーション２００の場面において、先に制作した素材閲覧を支援するものである。
【００１４】
図１で示すように、支援方法１００は、情報処理装置１５０によって実行される。なお、情報処理装置１５０は、単一の装置で構成される形態であっても良く、複数の装置が共働して支援方法１００に係る情報処理を行う形態（所謂、システム）であっても良い。
【００１５】
情報処理装置１５０は、インターネット・ＬＡＮ（Local Area Network）等の通信ネットワーク４１０を介して、後述するパノラマＶＲ（Virtual Reality）画像１３０の生成作業の指示を出す作業者及び建築物等構築物のプレゼンテーション２００に参加するユーザーが操作する端末３９０、４００と接続される。
【００１６】
作業者は、作業者端末３９０を操作し、情報処理装置１５０に指示を出すことによって、３次元ＣＧ（Computer Graphics）パース１２０を生成させたり、それに基づくパノラマＶＲ画像１３０を生成させたりする処理を実行させる。
【００１７】
一方ユーザーは、ユーザー端末４００を操作し、情報処理装置１５０等に記憶されるパノラマＶＲ画像１３０である画像情報の送信要求を行うと共に、送信される画像情報をユーザー端末４００が備える表示装置を介して閲覧する。
【００１８】
次に、図２を用いて、支援方法１００に含まれる情報処理及びその流れの詳細を説明する。図２は、支援方法１００に含まれる情報処理の流れを示すフローチャートである。
【００１９】
Ｓ１００において、作業者は、作業者端末３９０を操作して、情報処理装置１５０に対し、後述する３次元ＣＧパース１２０の元データとなる原図データ１１０の生成を指示する。なお、３次元ＣＧパース１２０は、プレゼンテーション２００の対象となる建築物（内外観を問わない。）についての完成予想図であって、奥行きを感じさせるように描かれた図である。また、３次元ＣＧパース１２０は、所定位置から水平・垂直両方向略３６０°を捉えた全景データであるパノラマ画像である。一方、原図データ１１０は、基本設計や実施設計等の設計図書に基づいて制作される図面データである。
【００２０】
Ｓ１１０において、作業者は、作業者端末３９０を操作して、情報処理装置１５０に対し、Ｓ１００で生成された原図データ１１０に基づいて３次元ＣＧパース１２０を生成するように指示を行う。
【００２１】
図３で示すように、例えば、プレゼンテーション２００の対象となる建築物が住宅である場合を想定する。図４及び５で示すように、このとき、３次元ＣＧパース１２０は、リビング内の所定位置から水平・垂直両方向略３６０°を捉えたパノラマ画像であっても良く、ベッドルーム内の所定位置から水平・垂直両方向略３６０°を捉えたパノラマ画像であっても良い。
【００２２】
さらに、Ｓ１１０において、作業者は、作業者端末３９０を操作して、情報処理装置１５０に対し、Ｓ１１０で生成された１つの３次元ＣＧパース１２０に基づいて、ペアとなる３次元ＣＧパース１２０を生成するように指示を行う。ペアとなる３次元ＣＧパース１２０とは、先に生成された３次元ＣＧパース１２０と組み合わせることによって、立体視可能であるステレオグラムとなるような２つのパノラマ画像となるようなものであり、先に生成された３次元ＣＧパース１２０から派生的に生成される画像情報である。そして、このようにして生成された２つの３次元ＣＧパース１２０は、一組の３次元ＣＧパース１２０として左右に並べて配置するなどの関連付け（対応付け）が行われる。
【００２３】
図４及び５で示すような３次元ＣＧパース１２０が先に生成されている場合を想定する。図６及び７で示すように、このとき、一組の３次元ＣＧパース１２０は、リビング内・ベッドルーム内それぞれの所定位置から水平・垂直両方向略３６０°を捉えたパノラマ画像であって、左目用を左側に右目用を右側に各々配置させた画像であっても良い。
【００２４】
Ｓ１２０において、作業者は、作業者端末３９０を操作して、情報処理装置１５０に対し、Ｓ１１０で生成された１組の３次元ＣＧパース１２０に基づいて、１組のパノラマＶＲ画像１３０を生成するように指示を行う。パノラマＶＲ画像１３０とは、パノラマＶＲ画像１３０を表示させるソフトウエア（Ｗｅｂブラウザ等）を操作・設定することによって、所定位置から略３６０°全方位を閲覧可能であって、所定位置に居たとした場合の閲覧者に見える景色を表示させることが可能な形式の画像情報である。パノラマＶＲ画像１３０とは、例えば、Ｇｏｏｇｌｅストリートビュー（登録商標）などのサービスで利用されている一般に普及した技術である。
【００２５】
１組の３次元ＣＧパース１２０を構成する各３次元ＣＧパース１２０は、それぞれにパノラマＶＲ画像１３０へ変換され、変換後の２つのパノラマＶＲ画像１３０は、一組のパノラマＶＲ画像１３０として左右に並べて配置するなどの関連付け（対応付け）が行われる。このとき、左目用のパノラマＶＲ画像１３０を左側に配置し、右目用のパノラマＶＲ画像１３０を右側に配置する形態であっても良く、その逆であっても良いし、その他の配置規則であっても良い。
【００２６】
ここで、パノラマＶＲ画像１３０は、ヘッドマウントディスプレイ２２０のような所定の表示装置２１０において、立体視可能な形式のデータとしても良い。ヘッドマウントディスプレイ２２０は、特にその仕様は限定されないが、スマートフォンのような携帯情報端末を内部に設置して（組み合わせて）個々の利用者が完成させるような簡易的なヘッドマウントディスプレイ（例えば、カードボードビューア（登録商標））でも良い。
【００２７】
図６及び７で示すような一組の３次元ＣＧパース１２０が先に生成されている場合を想定する。図８及び９で示すように、このとき、一組のパノラマＶＲ画像１３０は、リビング内・ベッドルーム内それぞれの所定位置から水平・垂直両方向略３６０°を捉えたパノラマＶＲデータであって、左目用を左側に右目用を右側に各々配置させたデータであっても良い。
【００２８】
Ｓ１２０において、作業者は、作業者端末３９０を操作して、情報処理装置１５０に対し、Ｓ１２０で生成された複数組のパノラマＶＲ画像１３０の所定の規則に基づいた対応付けを行うように指示を行う。所定の規則に基づいた対応付けとは、各パノラマＶＲ画像１３０の建築物内の位置関係（水平方向中心の位置関係）に応じて、その位置関係を反映させた対応付け（関連付け）のことを指す。ここで作業者は、生成された複数組のパノラマＶＲ画像１３０について、所謂、ツアー設定を行っている。
【００２９】
図３で示すように、例えば、プレゼンテーション２００の対象となる建築物が住宅である場合を想定する。このとき、図８で示されるリビングのパノラマＶＲ画像１３０と図９で示されるベッドルームのパノラマＶＲ画像１３０とは、図３で示されるような位置関係を反映させた対応付け（ツアー設定）が行われる。
【００３０】
なお、パノラマＶＲ画像１３０は、Ｗｅｂブラウザ等、所定のソフトウエアによって再生・閲覧可能なデータ形式（例えば、ＨＴＭＬ（HyperText Markup Language）形式、Ｆｌａｓｈ（登録商標）形式、Ｑｕｉｃｋ  Ｔｉｍｅ（登録商標）形式等）である。
【００３１】
また、パノラマＶＲ画像１３０は、パノラマＶＲ画像１３０が表示される表示装置２１０の向けられた方向に応じて、表示装置２１０に表示される画像が変化するように設計されている。さらに、複数組のパノラマＶＲ画像１３０について所謂ツアー設定がなされている場合、パノラマＶＲ画像１３０が表示される表示装置２１０の向けられた方向に応じて、一のパノラマＶＲ画像１３０から他のパノラマＶＲ画像１３０への画像の切り替えが行われるように設計されている。
【００３２】
Ｓ１３０において、作業者は、作業者端末３９０を操作して、情報処理装置１５０に対し、Ｓ１２０で生成された１組のパノラマＶＲ画像１３０を、所定の記憶領域１６０に記憶させるように指示を行う。所定の記憶領域１６０とは、情報処理装置１５０が備える補助記憶装置３４０内の記憶領域、情報処理装置１５０以外の装置が備える記憶装置内の記憶領域何れであっても良い。１組のパノラマＶＲ画像１３０は、一カ所に記憶される形態であっても良く、複数個所に分散記憶される形態であっても良い。
【００３３】
Ｓ１４０において、作業者は、作業者端末３９０を操作して、情報処理装置１５０に対し、Ｓ１３０で記憶させたパノラマＶＲ画像１３０の記憶領域１６０を指定する情報１７０の発行を行うように指示を行う。記憶領域１６０を指定する情報１７０とは、記憶領域１６０を特定するＵＲＬ（Uniform Resource Locator）や、コンピュータのファイルシステムで、ファイルやディレクトリの所在等を示す文字列であるパス（Path）又はこれらの情報を暗号化したものでも良い。記憶領域１６０を指定する情報１７０は、例えば、記憶領域１６０を特定するＵＲＬ（Uniform Resource Locator）を暗号化したＱＲコード（登録商標）１８０であることが好適であるが、その形態は特に限定されない。
【００３４】
Ｓ１４０において、ユーザーは、ユーザー端末４００を操作して、情報処理装置１５０又は他の情報処理装置に対し、Ｓ１４０で発行された記憶領域指定情報１７０を含む建築物に関するプレゼンテーション書類１９０を生成する指示を行う。記憶領域指定情報１７０を含む建築物に関するプレゼンテーション書類１９０とは、例えば、パノラマＶＲ画像１３０の建築物内の位置（パノラマＶＲ画像１３０の水平方向中心）付近に、記憶領域指定情報１７０が記載されたプレゼンテーション書類１９０である。また、プレゼンテーション書類１９０は、書類１９０の隅に、記憶領域指定情報１７０を記載する形態であっても良い。
【００３５】
図３は、プレゼンテーション書類１９０の一例を示す図である。図３で示すプレゼンテーション書類１９０は、書類１９０の隅に、記憶領域指定情報１７０であるＱＲコード（登録商標）１８０を記載する形態である。ただし、図３で示すように、建築物内における各パノラマＶＲ画像１３０の対応位置１４０付近に、記憶領域指定情報１７０が記載される形態でも良い。
【００３６】
Ｓ１５０において、ユーザーは、プレゼンテーション書類１９０を使用して建築物に関するプレゼンテーション２００に参加する。例えば、建築物に関するプレゼンテーション２００においては、建築事務所（デザイン事務所）等の受注候補者が、建築物の発注者の面前で、受注候補者が提案する設計案のプレゼンテーションが行われる。ここで、ユーザーとは、受注候補者又は発注者を指す。
【００３７】
Ｓ１５０において、ユーザーは、ユーザー端末４００を操作して、書類１９０上に記載された記憶領域指定情報１７０に基づいて、記憶領域指定情報１７０で指定される記憶領域１６０へのアクセスを行う。例えば、ユーザーは、スマートフォン４００を操作して、書類１９０上の記憶領域指定情報１７０を読み取らせ、記憶領域指定情報１７０で指定される記憶領域１６０へのアクセスする。なお、ユーザー端末４００は、ヘッドマウントディスプレイ２２０であっても良い。
【００３８】
Ｓ１５０において、ユーザーは、ユーザー端末４００を操作して、記憶領域１６０へアクセスした後、記憶領域１６０に記憶されているパノラマＶＲ画像１３０を読み出し、ユーザー端末４００が備える表示装置２１０においてパノラマＶＲ画像１３０を表示させる。なお、パノラマＶＲ画像１３０は、Ｗｅｂブラウザ等特定のソフトウエアを利用して、表示装置２１０に表示される形態であっても良い。
【００３９】
ユーザー端末４００がスマートフォンのような携帯情報端末の場合、当該携帯情報端末を利用した簡易的なヘッドマウントディスプレイを組み立て、当該携帯情報端末のディスプレイにパノラマＶＲ画像１３０を表示させる。
【００４０】
ユーザー端末４００がディスプレイを備えるヘッドマウントディスプレイ２２０の場合、そのディスプレイにパノラマＶＲ画像１３０を表示させる。パノラマＶＲ画像１３０は、パノラマＶＲ画像１３０が表示されるヘッドマウントディスプレイ２２０の向けられた方向に応じて、ヘッドマウントディスプレイ２２０に表示される画像が変化するように設計されている。こうすることによって、支援方法１００は、臨場感があり、発注者の印象に残るようなプレゼンテーション２００を実現することによって、対競合他者優位性を発揮させることができる。
【００４１】
図３で示すように、複数組のパノラマＶＲ画像１３０について所謂ツアー設定が行われている場合、ユーザーによる端末４００の操作に応じて、図８で示されるリビングのパノラマＶＲ画像１３０と図９で示されるベッドルームのパノラマＶＲ画像１３０とが相互に連関して表示装置２１０に表示される。複数組のパノラマＶＲ画像１３０について所謂ツアー設定がなされている場合、パノラマＶＲ画像１３０が表示されるヘッドマウントディスプレイ２２０の向けられた方向に応じて、一のパノラマＶＲ画像１３０から他のパノラマＶＲ画像１３０への画像の切り替えが行われるように設計されている。つまり、ユーザーに、あたかも図３で示す住居内に居るように感じさせることができる。
【００４２】
Ｓ１５０において、一のユーザーがヘッドマウントディスプレイ２２０を利用してパノラマＶＲ画像１３０を閲覧している場面を想定する。そのとき、他のユーザーの操作に基づいて、ヘッドマウントディスプレイ２２０とは異なる表示装置２３０に、ヘッドマウントディスプレイ２２０に表示されているパノラマＶＲ画像１３０に同期させたものを表示させる形態としても良い。こうすることで、一のユーザーが発注者である場合、他のユーザーである受注候補者が、発注者に見えているものを理解しながら適切なプレゼンテーションを行うことができる。
【００４３】
なお、プレゼンテーション書類１９０は、例えば、新聞の折込チラシのような建築物に関する広告物２５０であっても良い。支援方法１００は、広告物の閲覧者に対し、効果的な印象付けが可能である。
【００４４】
支援方法１００におけるプレゼンテーション２００は、コンペなどでのクライアントに対する強い印象付けをすることやデザイン承認の意思決定のスピードアップを促し、プロジェクトの相対的なコストダウンを計ることができる。
【００４５】
また、支援方法１００におけるプレゼンテーション２００は、スケール感が現実に近く、ＣＧパースでありがちな画角の加工で起こり得るイメージと現実とのギャップ解消やよりよくデザインを理解してもらい竣工後の思い違いを減らすことなどに寄与することができる。
【００４６】
さらに、支援方法１００におけるプレゼンテーション２００は、ヘッドマウントディスプレイ２２０を覗いた時のワクワク感や非日常感などＣＧパースによるプレゼンテーションに比べ、より深い感動を提供可能である。
（本実施の形態に係る情報処理装置のハードウエア構成）
【００４７】
図１１を用いて、情報処理装置１５０のハードウエア構成例について説明する。図１１は、情報処理装置１５０のハードウエア構成の一例を示す図である。図１１で示すように、情報処理装置１５０は、ＣＰＵ（Central Processing Unit）３１０、ＲＯＭ（Read-Only Memory）３２０、ＲＡＭ（Random Access Memory）３３０、補助記憶装置３４０、通信Ｉ／Ｆ３５０、入力装置３６０、出力装置（表示装置）３７０、記録媒体Ｉ／Ｆ３８０を有する。
【００４８】
ＣＰＵ３１０は、ＲＯＭ３２０に記憶されたプログラムを実行する装置であり、ＲＡＭ３３０に展開（ロード）されたデータを、プログラムの命令に従って演算処理し、情報処理装置１５０全体を制御する。ＲＯＭ３２０は、ＣＰＵ３１０が実行するプログラムやデータを記憶している。ＲＡＭ３３０は、ＣＰＵ３１０でＲＯＭ３２０に記憶されたプログラムを実行する際に、実行するプログラムやデータが展開（ロード）され、演算の間、演算データを一時的に保持する。
【００４９】
補助記憶装置３４０は、基本ソフトウエアであるＯＳ（Operating System）や本実施の形態に係るアプリケーションプログラムなどを、関連するデータとともに記憶する装置であり、例えば、ＨＤＤ（Hard Disc Drive）やフラッシュメモリなどである。
【００５０】
通信Ｉ／Ｆ３５０は、有線・無線ＬＡＮ（Local Area Network）、インターネットなどの通信ネットワーク４１０に接続し、通信機能を提供する他装置３９０、４００とデータの授受を行うためのインターフェースである。
【００５１】
入力装置３６０は、タッチパネルなど情報処理装置１５０にデータ入力を行うための装置である。出力装置３７０は、ＬＣＤ（Liquid Crystal Display）等で構成される装置であり、情報処理装置１５０が有する機能をユーザーが利用する際や各種設定を行う際のユーザーインターフェースとして機能する装置である。
記録媒体Ｉ／Ｆ３８０は、ＣＤ−ＲＯＭ、ＤＶＤ−ＲＯＭ、ＵＳＢメモリなどの記録媒体３９０とデータの送受信を行うためのインターフェースである。
【００５２】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００５３】
１００  プレゼンテーション支援方法
１１０  原図データ
１２０  ３次元ＣＧパース
１３０  パノラマＶＲ画像
１４０  パノラマＶＲ画像の平面方向中心位置
１５０  情報処理装置
１６０  パノラマＶＲ画像が記憶される記憶領域
１７０  記憶領域を指定する情報
１８０  ＱＲコード（登録商標）
１９０  建築物等構築物に関するプレゼンテーション書類
２００  プレゼンテーション
２１０  表示装置
２２０  第１表示装置：ヘッドマウントディスプレイ
２３０  第２表示装置：ヘッドマウントディスプレイとは異なる表示装置
２４０  Ｗｅｂブラウザ
２５０  建築物に関する広告物
３１０  ＣＰＵ
３２０  ＲＯＭ
３３０  ＲＡＭ
３４０  補助記憶装置
３５０  通信インターフェース
３６０  入力装置
３７０  出力装置
３８０  記憶媒体インターフェース
３９０  作業者端末
４００  ユーザー端末
４１０  通信ネットワーク
【図１】
2018147272.tif 000003
【図２】
2018147272.tif 000004
【図３】
2018147272.tif 000005
【図４】
2018147272.tif 000006
【図５】
2018147272.tif 000007
【図６】
2018147272.tif 000008
【図７】
2018147272.tif 000009
【図８】
2018147272.tif 000010
【図９】
2018147272.tif 000011
【図１０】
2018147272.tif 000012
【図１１】
2018147272.tif 000013